(57)【要約】【課題】合成樹脂製のハンドルを備えつつも防火性に優れた扉及び建具を提供する。【解決手段】２つの空間を仕切り開閉可能な扉であって、当該扉の閉止状態を維持すべく係止される係止機構と、各々の前記空間側にそれぞれ設けられ、前記係止機構を係止状態または係止解除状態に切り替え操作するための合成樹脂製のハンドルと、前記ハンドル同士を連結する連結部材と、前記ハンドルの操作を前記係止機構に伝達する伝達部材と、がともに貫通され前記ハンドルにより覆われる開口を有し、前記空間に各々臨む金属製の表面材と、前記連結部材と前記伝達部材とが貫通する、前記開口より小さな孔部を備え、少なくとも一方の前記表面材の前記開口を覆って取り付けられる金属製の開口覆部材と、前記開口覆部材に設けられ加熱されたときに、膨張して前記孔部を覆う熱膨張性部材と、を、備えている。【選択図】図１０
2014196648.tif 000002
【特許請求の範囲】
【請求項１】
２つの空間を仕切り開閉可能な扉であって、
当該扉の閉止状態を維持すべく係止される係止機構と、
各々の前記空間側にそれぞれ設けられ、前記係止機構を係止状態または係止解除状態に切り替え操作するための合成樹脂製のハンドルと、
前記ハンドル同士を連結する連結部材と、前記ハンドルの操作を前記係止機構に伝達する伝達部材と、がともに貫通され前記ハンドルにより覆われる開口を有し、前記空間に各々臨む金属製の表面材と、
前記連結部材と前記伝達部材とが貫通する、前記開口より小さな孔部を備え、少なくとも一方の前記表面材の前記開口を覆って取り付けられる金属製の開口覆部材と、
前記開口覆部材に設けられ加熱されたときに、膨張して前記孔部を覆う熱膨張性部材と、
を、備えていることを特徴とする扉。
【請求項２】
請求項１に記載の扉であって、
前記開口覆部材は、
前記孔部を備え当該開口覆部材にて覆われる前記開口が設けられている前記表面材より当該扉の内側に配置される覆壁部と、
前記覆壁部の周縁から、前記開口が覆われる前記表面材側に延出された延出縁部と、
を有し、
前記熱膨張性部材は、前記延出縁部に備えられ当該扉の面内方向に膨張するように設けられていることを特徴とする扉。
【請求項３】
請求項２に記載の扉であって、
前記開口覆部材は、
前記延出縁部と繋がるとともに当該扉の外側であって見付け方向における前記開口の側方にて、前記表面材と対向する表面材対向部を有し、
前記覆壁部及び前記延出縁部は、当該扉の内側に配置されて前記開口の上下において前記表面材と対向する部位を有することを特徴とする扉。
【請求項４】
請求項３に記載の扉であって、
前記覆壁部及び前記延出縁部は、
上下方向の長さが前記開口の上下方向の長さより長く形成され、
前記表面材対向部より上に位置する上側部位と、前記表面材対向部より下に位置する下側部位とを有し、
前記表面材対向部の上端が前記開口の上縁に当接されたときに、前記下側部位の下端が前記開口の下縁より上方に位置し、
前記表面材対向部の下端が前記開口の下縁に載置された状態にて、前記下側部位と、前記上側部位の上部とが、当該扉の内側にて前記表面材と対向することを特徴とする扉。
【請求項５】
請求項１乃至請求項４のいずれかに記載の扉と、
前記扉を開閉自在に支持する枠体と、
を備えていることを特徴とする建具。
【発明の詳細な説明】
【技術分野】
【０００１】
本発明は、２つの空間を仕切り開閉可能な扉及び建具に関する。
【背景技術】
【０００２】
２つの空間を仕切り開閉可能な扉としては、例えば、難燃性の木材にて形成され蝶番等にて開閉自在に建て付けられたドアであって、開閉を行うための握り部材がドア本体に設けられたエスカッションプレートから突出させて設けられたドアが知られている。このようなドアは、火災によりドアの一方側にて火炎や煙が充満した場合に、僅かな隙間があると、その隙間を介して火炎や煙が他方側に伝わるおそれがある。このため、握り部材が突出されるエスカッションプレートとドア本体との隙間に熱発泡材を充填して、火災時に握り部材が挿通される貫通孔を閉塞する防火ドアが知られている(例えば、特許文献１参照)。
【先行技術文献】
【特許文献】
【０００３】
【特許文献１】実公平７―１２６２７号公報
【発明の概要】
【発明が解決しようとする課題】
【０００４】
近年、意匠性を向上させるために、ドアを開閉するための操作部をなすハンドルを合成樹脂にて形成することが知られている。しかしながら、合成樹脂製のハンドルは、火災等により火炎に晒されると、溶融してしまう。このため、上記のようにエスカッションプレートに熱発泡材が設けられていたとしても、合成樹脂製のエスカッションプレートとともに熱発泡材が脱落してしまうおそれがある。
【０００５】
本発明は、かかる課題に鑑みてなされたものであり、その目的とするところは、合成樹脂製のハンドルを備えつつも防火性に優れた扉及び建具を提供することにある。
【課題を解決するための手段】
【０００６】
かかる目的を達成するために本発明の扉は、２つの空間を仕切り開閉可能な扉であって、当該扉の閉止状態を維持すべく係止される係止機構と、各々の前記空間側にそれぞれ設けられ、前記係止機構を係止状態または係止解除状態に切り替え操作するための合成樹脂製のハンドルと、前記ハンドル同士を連結する連結部材と、前記ハンドルの操作を前記係止機構に伝達する伝達部材と、がともに貫通され前記ハンドルにより覆われる開口を有し、前記空間に各々臨む金属製の表面材と、前記連結部材と前記伝達部材とが貫通する、前記開口より小さな孔部を備え、少なくとも一方の前記表面材の前記開口を覆って取り付けられる金属製の開口覆部材と、前記開口覆部材に設けられ加熱されたときに、膨張して前記孔部を覆う熱膨張性部材と、を、備えていることを特徴とする扉である。
【０００７】
このような扉によれば、火災などにより扉が加熱されて合成樹脂製のハンドルが溶融しても、少なくとも一方の表面材の開口は、連結部材と伝達部材とが貫通する、開口より小さな孔部を備えた金属製の開口覆部材により覆われているので、表面材が有する開口の全域が貫通している場合より、火炎や煙が貫通することを抑制することが可能である。
【０００８】
また、金属製の開口覆部材には、加熱されたときに膨張して、孔部を覆う熱膨張性部材が設けられているので、加熱された際には、熱膨張性部材により開口覆部材が備える孔部も覆うことが可能である。このため、扉が火炎に晒されてハンドルが溶融してしまっても、表面材に設けられている開口から火炎や煙が貫通することを防止することが可能である。このとき、連結部材と伝達部材とが貫通する孔部は、表面材の開口より小さいので、熱膨張性部材の量を、開口全体を覆う場合より少なくすることが可能である。このため、扉内の狭いスペースに備えることが可能な少量の熱膨張性部材であっても、開口を閉塞することが可能である。
【０００９】
かかる扉であって、前記開口覆部材は、前記孔部を備え当該開口覆部材にて覆われる前記開口が設けられている前記表面材より当該扉の内側に配置される覆壁部と、前記覆壁部の周縁から、前記開口が覆われる前記表面材側に延出された延出縁部と、を有し、前記熱膨張性部材は、前記延出縁部に備えられ当該扉の面内方向に膨張するように設けられていることが望ましい。
【００１０】
このような扉によれば、孔部が設けられた覆壁部の周縁から表面材側に延出された延出縁部に熱膨張性部材が扉の面内方向に膨張するように設けられているので、熱膨張性部材が膨張する際には、覆壁部と表面材との間にて扉の面内方向、すなわち覆壁部の面に沿うように広がるので、覆壁部に設けられた孔部を塞ぐように熱膨張性部材を膨張させることが可能である。このように、火災時などには熱膨張性部材を効率良く膨張させて、覆壁部に設けられた孔部を閉塞することが可能である。
【００１１】
かかる扉であって、前記開口覆部材は、前記延出縁部と繋がるとともに当該扉の外側であって見付け方向における前記開口の側方にて、前記表面材と対向する表面材対向部を有し、前記覆壁部及び前記延出縁部は、当該扉の内側に配置されて前記開口の上下において前記表面材と対向する部位を有することが望ましい。
【００１２】
このような扉によれば、開口覆部材は、扉の内側に位置する延出縁部と繋がって扉の外側に位置する表面材対向部が設けられているので、開口覆部材は開口を跨ぐように取り付けられる。このため、開口覆部材は開口を跨ぐ部位を開口の縁に載置することが可能である。また、開口覆部材は、扉の外側では表面材対向部が表面材と対向し、扉の内側では覆壁部及び延出縁部が表面材と対向しているので、扉の内外方向のいずれの方向においても移動が規制されている。このため、開口覆部材は、何らの固定手段を用いることなく、表面材に取り付けることが可能である。
【００１３】
かかる扉であって、前記覆壁部及び前記延出縁部は、上下方向の長さが前記開口の上下方向の長さより長く形成され、前記表面材対向部より上に位置する上側部位と、前記表面材対向部より下に位置する下側部位とを有し、前記表面材対向部の上端が前記開口の上縁に当接されたときに、前記下側部位の下端が前記開口の下縁より上方に位置し、前記表面材対向部の下端が前記開口の下縁に載置された状態にて、前記下側部位と、前記上側部位の上部とが、当該扉の内側にて前記表面材と対向することが望ましい。
【００１４】
このような扉によれば、覆壁部及び延出縁部の上下方向の長さが開口の上下方向の長さより長く形成され、延出縁部には開口の側方にて表面材と対向する表面材対向部を有しているので、開口覆部材は、水平方向に移動して開口に取り付け、または開口から取り外すことはできない。一方、覆壁部及び延出縁部は、表面材対向部の上端が開口の上縁に当接されたときに、下側部位の下端が開口の下縁より上方に位置するので、開口覆部材の上端側から先に開口に挿入した後に、覆壁部及び延出縁部の下端部側を扉の内側に移動させると、覆壁部及び延出縁部の全体を扉の内側に配置することが可能である。また、表面材対向部の下端が開口の下縁に載置された状態にて、下側部位と、上側部位の上部とが、扉の内側にて表面材と対向するので、表面材対向部の下端が開口の下縁に載置されるように開口覆部を配置すると、表面材により、覆壁部及び延出縁部の、扉の外側への移動が規制され、表面材対向部の、扉の内側への移動が規制される。このため、開口覆部材を表面材に取り付けることが可能である。すなわち、開口覆部材は、上端側を先に開口に挿入して扉の内側に移動した後に下端側を扉の内側に移動し、表面材対向部の下端を開口の下縁に載置するように下方に移動する、所謂けんどん方式により表面材に容易に取り付けることが可能である。
【００１５】
また、前記扉と、前記扉を開閉自在に支持する枠体と、を備えていることを特徴とする建具である。
【００１６】
このような建具によれば、火災などにより建具が加熱されて扉が有する合成樹脂製のハンドルが溶融しても、少なくとも一方の表面材の開口は金属製の開口覆部材により覆われているので、表面材の開口全体において室内外が連通して火炎や煙が貫通することを防止することが可能である。また、金属製の開口覆部材には、加熱されたときに膨張して、連結部材と伝達部材とが貫通する孔部を覆う熱膨張性部材が設けられているので、熱膨張性部材により開口覆部材が備える孔部も閉塞することが可能である。このため、建具が火炎に晒されて扉が有するハンドルが溶融してしまっても、表面材に設けられている開口から火炎や煙が貫通することを防止することが可能である。
【発明の効果】
【００１７】
本発明によれば、合成樹脂製のハンドルを備えつつも防火性に優れた扉及び建具を提供することが可能である。
【図面の簡単な説明】
【００１８】
【図１】本実施形態に係る建具及び玄関ドアを屋外側から見た外観図である。
【図２】ハンドルの取り付け部を示す縦断面図である。
【図３】ハンドルの取り付け部を示す横断面図である。
【図４】表面材に設けられた開口を示す正面図である。
【図５】ハンドルが取り付けられていない玄関ドアの戸先部分を示す図である。
【図６】熱膨張性黒鉛が設けられた開口覆部材を示す正面図である。
【図７】熱膨張性黒鉛が設けられた開口覆部材を示す斜視図である。
【図８】開口覆部の取り付け方法を示す図である。
【図９】ハンドルが取り外された状態を示す斜視図である。
【図１０】ハンドルが取り外された状態を示す正面図である。
【発明を実施するための形態】
【００１９】
以下、本発明の一実施形態に係る扉及びこの扉が枠体に回動自在に設けられた建具について図面を参照して説明する。
【００２０】
本実施形態では、２つの空間を仕切り開閉可能な扉及び建具として、屋内外を仕切り開閉可能に枠体に設けられた扉としての玄関ドアを備えた建具を例に挙げて説明する。
【００２１】
本実施形態における建具１は、図１に示すように、枠体２と、枠体２にヒンジ３を介して回動自在に設けられた玄関ドア１０とを有している。
【００２２】
以下の説明においては、枠体２に設けられている玄関ドア１０を屋外側から見たときに、上下となる方向を上下方向、左右となる方向を左右方向または見付け方向、屋内外方向である奥行き方向を見込み方向として示す。尚、枠体２及び玄関ドア１０を構成する各部材は、単体として説明する場合であっても、建物等に取り付けられた状態で上下方向、見付け方向、見込み方向等となる方向にて方向を特定して説明する。
【００２３】
枠体２は、躯体（不図示）に取り付けられて矩形状をなしており、屋内外を連通する出入り口を形成している。
【００２４】
玄関ドア１０は、図１〜図３に示すように、ヒンジ３を介して固定される吊り元側及び吊り元側と反対側の戸先側にそれぞれ上下方向に沿って設けられた２本の金属製の縦フレーム１１と、縦フレーム１１の屋内側及び屋内側にて当該２本の縦フレーム１１に渡るように設けられた金属製の２枚の表面材１２と、屋内側の表面材１２の屋内側及び屋外側の表面材１２の屋外側にそれぞれ設けられ戸先側の縦フレーム１１を挟んで連結された合成樹脂製のハンドル１３と、玄関ドア１０の閉止状態を維持すべく係止される係止機構をなす錠ユニット１４と、を有している。
【００２５】
玄関ドア１０は、ハンドル１３の操作により、戸先側の縦フレーム１１内に設けられた錠ユニット１４が操作され、玄関ドア１０が枠体２に係止される係止状態と係止解除状態とに切り替えることが可能である。
【００２６】
屋内外に設けられたハンドル１３同士は、屋内外の表面材１２間及び戸先側の縦フレーム１１内を貫通する２本の連結部材１５にて互いに連結されており、各ハンドル１３の操作を錠ユニット１４に伝達するための伝達部材１６が各ハンドル１３と錠ユニット１４の間に渡るように設けられている。このため、屋内外の表面材１２及び戸先側の縦フレーム１１には、連結部材１５及び伝達部材１６が貫通される開口１１１、１２１が設けられている。
【００２７】
屋内外の表面材１２に設けられた開口（以下、表面開口という）１２１は、伝達部材１６と、伝達部材１６の上下に位置する２本の丸棒状の連結部材１５が貫通するように形成されている。このため、表面開口１２１は、図４に示すように、上下２本の連結部材１５が貫通するための仮想丸孔１２１ａと、伝達部材１６が貫通するための仮想角穴１２１ｂとが一つに繋がった形状をなしている。より具体的には、表面開口１２１は、ほぼ矩形状の仮想角穴１２１ｂの上下に連結部材１５が貫通する仮想丸孔１２１ａの半円形状の切り欠き部１２１ｃが設けられた形状をなしている。以下の説明では、表面材１２に設けられた表面開口１２１にて仮想角穴１２１ｂの上側にて水平をなす縁を上水平縁部１２１ｄといい、開口１２１にて下側にて水平をなす縁を下水平縁部１２１ｅという。
【００２８】
戸先側の縦フレーム１１に設けられた開口（以下、フレーム開口という）１１１は、屋内外の表面材１２に設けられた表面開口１２１より大きく形成されている。このため、ハンドル１３が取り付けられる前の状態を屋外側から見たときには、図５に示すように、表面材１２に設けられた表面開口１２１の奥に錠ユニット１４が見える。
【００２９】
各々の表面材１２に設けられた表面開口１２１は、屋内側にそれぞれ設けられるハンドル１３が有する台座１３１により覆われる。しかしながら、本実施形態のようにハンドル１３が合成樹脂製の場合には、火炎等に晒されてハンドル１３が溶融すると、当該ハンドル１３に覆われていた表面開口１２１が露出されてしまい、一方の表面開口１２１から進入した火炎により他方のハンドル１３が溶融されると、火炎や煙が屋内外を貫通してしまうおそれがある。
【００３０】
このため、本発明の玄関ドア１０には、図６、図７に示すように、屋外側の表面開口１２１に、連結部材１５と伝達部材１６とが貫通する、表面開口１２１より小さな孔部２１、２２を備えて表面開口１２１を覆う金属製の開口覆部材２０と、膨張して孔部２１、２２を覆う熱膨張性部材としての熱膨張性黒鉛２６とが設けられている。
【００３１】
開口覆部材２０は、２本の連結部材１５と伝達部材１６とが貫通する孔部２１、２２が設けられてほぼ長方形の板状をなす覆壁部２３と、覆壁部２３の周縁から延出されて覆壁部２３とともに箱状に形成されたた延出縁部２４と、延出縁部２４の先端に設けられ延出縁部２４により囲まれる領域の外側に向かって側方に延出された表面材対向部としての側方延出部２５とを有している。
【００３２】
覆壁部２３は、表面材１２に取り付けられた状態で、長手方向が上下方向に沿わされて配置される。覆壁部２３の上部側には、貫通する２本の連結部材１５のうちの一方が貫通する円形の上孔部２１が設けられており、覆壁部２３の下部側には、２本の連結部材１５のうちの他方と伝達部材１６が貫通する下孔部２２とが設けられている。これらの上孔部２１と下孔部２２とを貫通する連結部材１５と伝達部材１６とは、表面材１２の表面開口１２１も貫通するため、上孔部２１と下孔部２２とは、開口覆部材２０が表面材１２に取り付けられたときには、いずれも表面開口１２１と対向する領域の内側に配置される。すなわち、上孔部２１及び下孔部２２は表面開口１２１より小さく形成されている。
【００３３】
延出縁部２４は、長方形状の覆壁部２３にて各辺をなす縁部からそれぞれ、覆壁部２３の同一面側にほぼ直角に延出されており、上下左右に設けられた４つの壁部にて覆壁部２３の一方側の面を囲むように形成されている。延出縁部２４の左右方向の幅は、表面材１２に設けられた表面開口１２１の左右方向の幅より僅かに狭く形成されている。すなわち、延出縁部２４は表面開口１２１の仮想角穴１２１ｂ内に挿入可能である。
【００３４】
側方延出部２５は、覆壁部２３の長辺部をなす左右の縁から延出された延出縁部２４の、延出された先端から側方、すなわち、覆壁部２３と対向しない側に延出されている。側方延出部２５の上下方向の長さは延出縁部２４の上下方向の長さより短く形成されており、側方延出部２５は延出縁部２４の上下方向の中心より下側に偏らせて設けられている。そして、覆壁部２３及び延出縁部２４は、側方延出部２５の下端２５２より下に設けられている下側部位２０２より側方延出部２５の上端２５１より上に設けられている上側部位２０１方が、上下方向に長く形成されている。また、側方延出部２５の上端２５１から下に位置する延出縁部２４の下端２４２までの長さＬ１は、表面材１２の表面開口１２１の上水平縁部１２１ｄと下水平縁部１２１ｅとの間隔Ｌ２（図４）より短く形成されており、側方延出部２５の下端２５２から上に位置する延出縁部２４の上端２４３までの長さＬ３は、表面材１２の表面開口１２１の上水平縁部１２１ｄと下水平縁部１２１ｅとの間隔Ｌ２より長く形成されている。
【００３５】
開口覆部材２０には、図６に示すように、上と左右の延出縁部２４の内側面に熱膨張性黒鉛２６が設けられている。
【００３６】
熱膨張性黒鉛２６が設けられた開口覆部材２０は、図８に示すように、開口覆部材２０の上端部２０ａ側が下端部２０ｂ側より玄関ドア１０の内側に位置するように傾けた状態にて、上端部２０ａ側を表面材１２の表面開口１２１に挿入し、側方延出部２５の上端２５１が表面開口１２１の上水平縁部１２１ｄに当接するまで挿入する。
【００３７】
側方延出部２５の上端２５１が表面開口１２１の上水平縁部１２１ｄに当接した後に、開口覆部材２０の下端部２０ｂ側を玄関ドア１０の内側に移動させ開口覆部材２０がほぼ鉛直に沿うように配置する。このとき、側方延出部２５が表面材１２における表面開口１２１の左右の部位と対向する。この状態にて、覆壁部２３及び延出縁部２４は、表面材１２より玄関ドア１０の内側に位置している。
【００３８】
側方延出部２５が表面材１２の屋外側の面と対向している状態にて、開口覆部材２０を下方に移動し、側方延出部２５の下端２５２を表面開口１２１の下水平縁部１２１ｅに載置する。この状態で、開口覆部材２０は、側方延出部２５が表面材１２に対し玄関ドア１０の外側に位置し、側方延出部２５より下の覆壁部２３及び延出縁部２４と開口覆部材２０の上端部２０ａ側の覆壁部２３及び延出縁部２４が、表面材１２に対し玄関ドア１０の内側に位置することにより、開口覆部材２０が表面材１２に保持される。
【００３９】
開口覆部材２０が表面材１２に取り付けられて、ハンドル１３が取り付けられる前の状態では、図９、１０に示すように、上側の連結部材１５が開口覆部材２０の上孔部２１を貫通し、下側の連結部材１５と伝達部材１６とが下孔部２２を貫通し、表面開口１２１が開口覆部材２０の覆壁部２３と延出縁部２４とによりほぼ覆われている。
【００４０】
熱膨張性黒鉛２６が設けられた開口覆部材２０が表面開口１２１に取り付けられた状態にて、表面材１２に対し、玄関ドア１０内側に覆壁部２３及び延出縁部２４が配置され、覆壁部２３及び延出縁部２４の下側部位２０２と、上側部位２０１の上部側２０３とが表面材１２と対向している。
【００４１】
そして、玄関ドア１０が火炎等に晒されて合成樹脂製のハンドル１３が溶融しても、開口覆部材２０により貫通する部位が狭められており、また、上と左右の延出縁部２４の内側面の熱膨張性黒鉛２６が膨張することにより、上孔部２１及び下孔部２２と上下の連結部材１５及び伝達部材１６との隙間も閉塞することが可能となる。
【００４２】
本実施形態の玄関ドア１０によれば、火災などにより玄関ドア１０が加熱されて合成樹脂製のハンドル１３が溶融しても、少なくとも一方の表面材１２の表面開口１２１は、連結部材１５と伝達部材１６とが貫通する、表面開口１２１より小さな上孔部２１及び下孔部２２を備えた金属製の開口覆部材２０により覆われているので、表面材１２の表面開口１２１が単に設けられている場合より火炎や煙が貫通することを抑制することが可能である。
【００４３】
また、金属製の開口覆部材２０には、加熱されたときに膨張して、上孔部２１及び下孔部２２を覆う熱膨張性黒鉛２６が設けられているので、開口覆部材２０が備える上孔部２１及び下孔部２２と連結部材１５及び伝達部材１６との隙間も覆うことが可能である。このため、玄関ドア１０が火炎に晒されてハンドル１３が溶融してしまっても、表面材１２に設けられている表面開口１２１から火炎や煙が貫通することを防止することが可能である。このとき、連結部材１５と伝達部材１６とが貫通する上孔部２１及び下孔部２２は、表面材１２の表面開口１２１より小さいので、開口覆部材２０に備える熱膨張性黒鉛２６の量を、表面開口１２１全体を覆う場合より少なくすることが可能である。このため、玄関ドア１０内の狭いスペースに備えることが可能な少量の熱膨張性黒鉛２６であっても、表面開口１２１を閉塞することが可能である。
【００４４】
また、上孔部２１及び下孔部２２が設けられた覆壁部２３の周縁から表面材１２側に延出された延出縁部２４に熱膨張性黒鉛２６が玄関ドア１０の面内方向に膨張するように設けられているので、熱膨張性黒鉛２６が膨張する際には、覆壁部２３と表面材１２との間にて玄関ドア１０の面内方向、すなわち覆壁部２３の面に沿うように広がるので、覆壁部２３に設けられた上孔部２１及び下孔部２２を塞ぐように熱膨張性黒鉛２６を膨張させることが可能である。このように、火災時などには熱膨張性黒鉛２６を効率良く膨張させて、覆壁部２３に設けられた上孔部２１及び下孔部２２を閉塞することが可能である。
【００４５】
また、開口覆部材２０は、玄関ドア１０の内側に位置する延出縁部２４と繋がって玄関ドア１０の外側に位置する側方延出部２５が設けられているので、開口覆部材２０は表面開口１２１を跨ぐように取り付けられる。このため、開口覆部材２０は表面開口１２１を跨ぐ延出縁部２４または側方延出部２５を表面開口１２１の下水平縁部１２１ｅに載置することが可能である。また、開口覆部材２０は、玄関ドア１０の外側では側方延出部２５が表面材１２と対向し、玄関ドア１０の内側では覆壁部２３及び延出縁部２４が表面材１２と対向しているので、玄関ドア１０の内外方向のいずれの方向においても移動が規制されている。このため、開口覆部材２０は、何らの固定手段を用いることなく、表面材１２に取り付けることが可能である。
【００４６】
また、覆壁部２３及び延出縁部２４の上下方向の長さが、表面開口１２１にて覆壁部２３及び延出縁部２４が挿入可能な仮想角穴１２１ｂの上下方向の長さより長く形成され、延出縁部２４には表面開口１２１の側方にて表面材１２と対向する側方延出部２５が設けられているので、開口覆部材２０は、水平方向に移動して表面開口１２１に取り付けること、または表面開口１２１から取り外すことはできない。一方、覆壁部２３及び延出縁部２４は、側方延出部２５の上端２５１が表面開口１２１の上水平縁部１２１ｄに当接されたときに、下側部位２０２の下端となる下側の延出縁部２４の下端２４２が表面開口１２１の下水平縁部１２１ｅより上方に位置するので、開口覆部材２０の上端となる上側の延出縁部２４の上端２４３側から先に表面開口１２１に挿入した後に、覆壁部２３及び延出縁部２４の下端部側を玄関ドア１０の内側に移動させると、覆壁部２３及び延出縁部２４の全体を、表面材１２より玄関ドア１０の内側に配置することが可能である。
【００４７】
また、側方延出部２５の下端２５２が表面開口１２１の下水平縁部１２１ｅに載置された状態にて、下側部位２０２と、上側部位２０１の上部とが、玄関ドア１０の内側にて表面材１２と対向するので、側方延出部２５の下端２５２が表面開口１２１の下水平縁部１２１ｅに載置されるように開口覆部材２０を配置すると、表面材１２により、覆壁部２３及び延出縁部２４の、玄関ドア１０の外側方向への移動が規制され、側方延出部２５の、玄関ドア１０の内側方向への移動が規制される。このため、開口覆部材２０を表面材１２に取り付けることが可能である。すなわち、開口覆部材２０は、上端側を先に表面開口１２１に挿入して玄関ドア１０の内側に移動した後に下端側を玄関ドア１０の内側に移動し、側方延出部２５の下端２５２を表面開口１２１の下水平縁部１２１ｅに載置するように下方に移動する、所謂けんどん方式により表面材１２に容易に取り付けることが可能である。
【００４８】
本実施形態の建具１によれば、火災などにより建具１が加熱されて玄関ドア１０が有する合成樹脂製のハンドル１３が溶融しても、少なくとも一方の表面材１２の表面開口１２１は金属製の開口覆部材２０により覆われているので、表面材１２の表面開口１２１全体において室内外が連通して火炎や煙が貫通することを防止することが可能である。また、金属製の開口覆部材２０には、加熱されたときに膨張して、連結部材１５と伝達部材１６とが貫通する上孔部２１及び下孔部２２を覆う熱膨張性黒鉛２６が設けられているので、熱膨張性黒鉛２６により開口覆部材２０が備える上孔部２１及び下孔部２２も覆うことが可能である。このため、建具１が火炎に晒されて玄関ドア１０が有するハンドル１３が溶融してしまっても、表面材１２に設けられている表面開口１２１から火炎や煙が貫通することを防止することが可能である。
【００４９】
上記実施形態においては、扉として玄関ドア１０を例に挙げて説明したが、これに限らず、２つの空間を仕切り開閉可能な扉であれば構わない。
【００５０】
上記実施形態においては、開口覆部材が、玄関ドア１０の屋外側の表面材１２のみに設けた例について説明したが、屋内側の表面材にも設けられていても構わない。
【００５１】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、２  枠体、１０  玄関ドア、１２  表面材、１３  ハンドル、
１４  錠ユニット、１５  連結部材、１６  伝達部材、２０  開口覆部材、
２１  上孔部（孔部）、２２  下孔部（孔部）、２３  覆壁部、２４  延出縁部、
２５  側方延出部、２６  熱膨張性黒鉛、１２１  表面開口（開口）、
１２１ｄ  上水平縁部、１２１ｅ  下水平縁部、２０１  上側部位、
２０２  下側部位、２０３  上側部位の上部側、
２４１  延出縁部、２４２  下側の延出縁部の下端、２４３  上側の延出縁部の上端、
２５１  側方延出部の上端、２５２  側方延出部の下端
【図１】
2014196648.tif 000003
【図２】
2014196648.tif 000004
【図３】
2014196648.tif 000005
【図４】
2014196648.tif 000006
【図５】
2014196648.tif 000007
【図６】
2014196648.tif 000008
【図７】
2014196648.tif 000009
【図８】
2014196648.tif 000010
【図９】
2014196648.tif 000011
【図１０】
2014196648.tif 000012